(57)【特許請求の範囲】
【請求項１】
エジェクト機構付きＰＣカード用カードコネクタであって、
ＰＣカードに接続する複数の端子ピンを配列したヘッダ部と、
前記ＰＣカードに係合する係合部を有し、ＰＣカードの挿抜方向に沿って案内されるエジェクト板と、
このエジェクト板と回動自在に連結される連結部と、この連結部から離隔した位置で前記ヘッダ部に回動可能に支えられる支持部と、この支持部から連結部の反対側に延び、ヘッダ部の側方に突出する突片部とを有するリンク部材と、
前記ヘッダ部に隣接配置される内端部と、ヘッダ部から離隔配置されかつ押圧力を受ける外端部とを有し、この外端部がヘッダ部から離隔する外方に繰出される繰出し位置からヘッダ部に近接する内方に押込まれる押込み位置に移動されるときに、前記リンク部材を介してエジェクト板をＰＣカード抜去方向に移動するプッシュロッドと、
前記繰出し位置に向けて、このプッシュロッドを付勢する付勢手段と、
前記外端部から受ける押圧力により、このプッシュロッドが前記繰出し位置から押込み位置に向けて移動されるときに、前記リンク部材を介して前記エジェクト板をＰＣカードの抜去方向に駆動し、このプッシュロッドが押込み位置に配置されかつ押圧力を解除されたときに、外端部が前記押込み位置よりも僅かに外方に配置される保持位置に、このプッシュロッドを係止し、この保持位置のプッシュロッドが外端部を介して押圧力を受けたときに、プッシュロッドの係止を解除して前記繰出し位置に復帰させる作動装置とを具備してなり、
この作動装置は、プッシュロッドの内端部に配置された可動アクチュエータ部材と、ヘッダ部に設けられてこのアクチュエータ部材を作動するカムとを備え、このカムは、プッシュロッドが繰出し位置から押し込み位置に移動されるときに、アクチュエータ部材を、リンク部材の突片部と係合可能な突出位置に突出させて案内する駆動部と、このプッシュロッドが押込み位置に配置されかつ押圧力を解除されたときに、アクチュエータ部材を突片部との係合が不能な引込み位置に引込みかつこのアクチュエータ部材を係止してプッシュロッドが繰出し位置に復帰するのを阻止する係止部と、この保持位置のプッシュロッドが外端部を介して押圧力を受けたときに、アクチュエータ部材の係止を解除しかつ引込み位置に引込んで案内する復帰部とを有するカードコネクタ。
【請求項２】
前記ヘッダ部は、前記リンク部材の突片部が突出する側に配置されて前記カムを形成した側部突出部と、この側部突出部に形成されて前記プッシュロッドの内端部をＰＣカードの挿抜方向に沿って案内する案内レールとを有し、前記プッシュロッドの内端部は、この案内レールに沿って摺動しかつカムに重なる状態に配置される中空構造のスライダを有し、前記アクチュエータ部材は、このスライダ内に装着され、スライダのヘッダ部に対向する側壁部に形成された開口から突出可能である請求項１に記載のカードコネクタ。
【請求項３】
前記アクチュエータ部材は、スライダで係止されるストッパを有し、このストッパにより前記開口からの突出量を規制される請求項２に記載のカードコネクタ。
【請求項４】
前記プッシュロッドは、前記スライダの一端に連結される作動アームを有し、この作動アームの外端部が押圧力を受ける請求項２に記載のカードコネクタ。
【請求項５】
前記ヘッダ部と、このヘッダ部の両側端部から延び、ＰＣカードの側縁部をＰＣカードの挿抜方向に沿って案内する一対の対向した腕部とを有するコネクタフレームと、
それぞれがこのコネクタフレームに装着されるボディ部と、このボディ部から延びてコネクタフレームとプリント基板との間に所定の間隔を保持するスタンドオフ部と、このスタンドオフ部から延びてプリント基板の開口内に突出し、このプリント基板の反対側から締結具で締付けられる結合部とを有し、コネクタフレームをプリント基板に固定する複数の取付けブラケットとを備え、
各取付けブラケットのボディ部とコネクタフレームとの一方に係止孔が設けられ、かつ、他方にはこの係止孔に挿入される保持爪が設けられ、各取付けブラケットは、これらの係止孔と保持爪とを噛合わせることにより、各ボディ部をコネクタフレームに固定され、取付けブラケットを反転させてスタンドオフ部を反対側に配置した反転位置と非反転位置とで、ＰＣカードの幅方向および挿抜方向に沿う各結合部の位置を同じ位置とし、プリント基板の任意に選択した側に取付け可能とした請求項１に記載のカードコネクタ。
【請求項６】
前記腕部は、互いに同一構造である請求項５に記載のカードコネクタ。
【請求項７】
前記カムは、エジェクト板が移動する平面に対してほぼ直交する平面内に配置され、このカムの駆動部は、ＰＣカードの挿抜方向に対してほぼ直交する方向に向けてアクチュエータ部材を突出させて案内する請求項１に記載のカードコネクタ。
【請求項８】
前記カムは、側部突出部に設けた溝を有し、前記アクチュエータ部材は、この溝に沿って案内される従動ピンを有しかつ側部突出部に向けてばね付勢され、この従動ピンが溝の底壁に接触する請求項２に記載のカードコネクタ。
【発明の詳細な説明】
【０００１】
【発明の属する技術分野】
本発明は、コンピュータ等の電子機器にＰＣカードを電気的および機械的に接続するためのカードコネクタに関し、特に、エジェクト機構付きＰＣカード用カードコネクタに関する。
【０００２】
【従来の技術およびその課題】
ＰＣカードを装着した状態でも、ＰＣカード抜去用のプッシュボタンを非装着状態と同じ位置に保持し、ＰＣカードを抜去するときにのみプッシュボタンを突出させることのできるエジェクト機構を備えたカードコネクタの例が特開平８−９６８９１号、米国特許第５，５５８，５２７号および第５，５７５，６６９号に記載されている。
これらのエジェクト機構は、基本的には、プッシュボタンを外端部に取付けられかつ外方に向けてばねで付勢される操作ロッドと、レバーを介してＰＣカード抜去用プレートを駆動する駆動ロッドと、カム駆動されて外側の操作ロッドと内側の駆動ロッドとを連結および分離する中間部材と、これらの操作ロッドと駆動ロッドとを摺動自在に案内するケースとを備える。このケースの底壁には、凸設端側を外側に配置しかつ凹設端側を内側に配置した大略ハート型状のカム溝が形成されている。操作ロッドから突出する従動ピンがこのカム溝と係合し、操作ロッドが移動されるときに、このカム溝内を一定方向に沿って移動することができる。通常の状態では、従動ピンが大略ハート型状のカム溝の凹部内に配置されており、操作ロッドは、ばねの付勢力に抗して保持される。したがって、プッシュボタンは、電子機器の外側に大きく突出せず、プッシュボタンの誤操作が防止されると共に、他の装置等と干渉することもない。
【０００３】
ＰＣカードを抜去する場合は、プッシュボタンを軽く押圧する。これにより、従動ピンが大略ハート型状のカム溝の凹部から押出され、この後、ばねの付勢力により、カム溝内を凸設端側に移動され、プッシュボタンが電子機器の外側に大きく突出する。このとき、中間部材もカム駆動されて、操作ロッドから駆動ロッドに力伝達可能な状態に配置される。そして、外側に大きく突出したプッシュボタンを押圧すると、中間部材を介して、プッシュボタンに作用する押圧力が操作ロッドから駆動ロッドに伝達され、レバーおよびＰＣカード抜去用プレートが駆動される。操作ロッドと駆動ロッドとがケースの内面に沿って案内されるため、中間部材との当接部で中折れ状態とはならない。ＰＣカード抜去用プレートの移動と共に、ＰＣカードも移動し、カードコネクタから抜去される。ＰＣカードが抜去された後、プッシュボタンに作用する押圧力が解除されると、操作ロッドの従動ピンがハート型状カムの凹部内に再度保持される。中間部材は、駆動ロッドおよびＰＣカード抜去プレートが、操作ロッドと干渉することなく、この操作ロッドの位置に関わりなく自由に移動できるようにする。
【０００４】
しかし、従来のエジェクト機構は、いずれも操作ロッドおよび駆動ロッドを中間部材と共にケース内に収容し、このケースの内面に沿って案内するため、多くの部品を必要としている。このため、近年における電子機器の小形化および高機能化の要請に応えることのできるカードコネクタが必要とされている。
【０００５】
本発明は、これらの事情に基づいてなされたもので、構造が簡単で安価に製造することのできるエジェクト機構付きカードコネクタを提供することを目的とする。
【０００６】
【課題を解決するための手段】
上記目的を解決するため、本発明のエジェクト機構付きＰＣカード用カードコネクタは、ＰＣカードに接続する複数の端子ピンを配列したヘッダ部と、このＰＣカードに係合する係合部を有し、ＰＣカードの挿抜方向に沿って案内されるエジェクト板と、このエジェクト板と回動自在に連結される連結部と、この連結部から離隔した位置でヘッダ部に回動可能に支えられる支持部と、この支持部から連結部の反対側に延び、ヘッダ部の側方に突出する突片部とを有するリンク部材と、ヘッダ部に隣接配置される内端部と、ヘッダ部から離隔配置されかつ押圧力を受ける外端部とを有し、この外端部がヘッダ部から離隔する外方に繰出される繰出し位置からヘッダ部に近接する内方に押込まれる押込み位置に移動されるときに、リンク部材を介してエジェクト板をＰＣカード抜去方向に移動するプッシュロッドと、繰出し位置に向けて、このプッシュロッドを付勢する付勢手段と、外端部から受ける押圧力により、このプッシュロッドが繰出し位置から押込み位置に向けて移動されるときに、リンク部材を介して前記エジェクト板をＰＣカードの抜去方向に駆動し、このプッシュロッドが押込み位置に配置されかつ押圧力を解除されたときに、外端部が押込み位置よりも僅かに外方に配置される保持位置に、このプッシュロッドを係止し、この保持位置のプッシュロッドが外端部を介して押圧力を受けたときに、プッシュロッドの係止を解除して繰出し位置に復帰させる作動装置とを具備してなり、この作動装置は、プッシュロッドの内端部に配置された可動アクチュエータ部材と、ヘッダ部に設けられてこのアクチュエータ部材を作動するカムとを備え、このカムは、プッシュロッドが繰出し位置から押し込み位置に移動されるときに、アクチュエータ部材を、リンク部材の突片部と係合可能な突出位置に突出させて案内する駆動部と、このプッシュロッドが押込み位置に配置されかつ押圧力を解除されたときに、アクチュエータ部材を突片部との係合が不能な引込み位置に引込みかつこのアクチュエータ部材を係止してプッシュロッドが繰出し位置に復帰するのを阻止する係止部と、この保持位置のプッシュロッドが外端部を介して押圧力を受けたときに、アクチュエータ部材の係止を解除しかつ引込み位置に引込んで案内する復帰部とを有することに特徴がある。
このカードコネクタによれば、アクチュエータ部材を内包したプッシュロッドが、このアクチュエータ部材によりリンク部材に直接係合し、このリンク部材を介してエジェクト板を移動する。このため、数少ない部品によりカードコネクタの小形化および低コスト化が可能であると共に、プッシュロッドの外端部に作用する押圧力が、このプッシュロッドからリンク部材に直接作用し、ＰＣカードを効率的に抜去することができる。
【０００７】
また、ヘッダ部が、リンク部材の突片部が突出する側に配置されて上記カムを形成した側部突出部と、この側部突出部に形成されてプッシュロッドの内端部をＰＣカードの挿抜方向に沿って案内する案内レールとを有し、プッシュロッドの内端部が、この案内レールに沿って摺動しかつカムに重なる状態に配置される中空構造のスライダを有し、アクチュエータ部材が、このスライダ内に装着され、スライダのヘッダ部に対向する側壁部に形成された開口から突出可能とすることもできる。この場合は、案内レールおよびカムがヘッダ部に形成されることにより、極めて簡単かつ高精度に組立てることができる。
【０００８】
上記アクチュエータ部材は、スライダで係止されるストッパを有し、このストッパにより開口からの突出量を規制されるのが好ましい。この場合には、スライダがアクチュエータ部材に作用する力を支えることができ、別個の案内部材を必要としない。
【０００９】
上記プッシュロッドは、スライダの一端に連結される作動アームを有し、この作動アームの外端部が押圧力を受けるようにしてもよい。
更に、このカードコネクタは、ヘッダ部と、このヘッダ部の両側端部から延び、ＰＣカードの側縁部をＰＣカードの挿抜方向に沿って案内する一対の対向した腕部とでコネクタフレームを形成し、それぞれがこのコネクタフレームに装着されるボディ部と、このボディ部から延びてコネクタフレームとプリント基板との間に所定の間隔を保持するスタンドオフ部と、このスタンドオフ部から延びてプリント基板の開口内に突出し、このプリント基板の反対側から締結具で締付けられる結合部とを有し、コネクタフレームをプリント基板に固定する複数の取付けブラケットとを備え、各取付けブラケットのボディ部とコネクタフレームとの一方に係止孔が設けられ、かつ、他方にはこの係止孔に挿入される保持爪が設けられ、各取付けブラケットは、これらの係止孔と保持爪とを噛合わせることにより、各ボディ部をコネクタフレームに固定され、取付けブラケットを反転させてスタンドオフ部を反対側に配置した反転位置と非反転位置とで、ＰＣカードの幅方向および挿抜方向に沿う各結合部の位置を同じ位置とし、プリント基板の任意に選択した側に取付け可能とすることもできる。この場合には、取付けブラケットを反転させても、各取付けブラケットの結合部がＰＣカードの幅方向および挿抜方向に沿って同じ位置に配置されるため、取付けブラケットの方向を変更するだけで、プリント基板のいずれの側にも簡単に装着することができる。
【００１０】
腕部を、互いに同一構造とすることにより、同一の腕部をいずれの側にも用いることができる。
また、カムを、エジェクト板が移動する平面に対してほぼ直交する平面内に配置し、このカムの駆動部を、ＰＣカードの挿抜方向に対してほぼ直交する方向に向けてアクチュエータ部材を突出させて案内するように形成してもよい。この場合には、ヘッダ部の幅を狭く形成し、小形化することができる。
【００１１】
更に、カムが、側部突出部に設けた溝を有し、アクチュエータ部材が、この溝に沿って案内される従動ピンを有しかつ側部突出部に向けてばね付勢され、この従動ピンが溝の底壁に接触するようにしてもよい。この場合には、カードコネクタがどのような状態に配置されていても、アクチュエータ部材が確実にカム駆動される。
以下、本発明の実施の形態について添付図面を参照しつつ詳細に説明する。
【００１２】
【実施の形態】
図１から図９は、本発明の好ましい実施の形態によるカードコネクタ１０を示す。本実施の形態におけるカードコネクタ１０はプリント基板Ｐ（図８参照）にねじ止めされるものである。
図１に示すように、このカードコネクタ１０は、ＰＣカードＣに接続する複数の端子ピン１２を幅方向に沿って配列したヘッダ部１４と、このヘッダ部の両側端部から延びる一対の対向した腕部１６とを有するコネクタフレームを１８を備える。
【００１３】
ヘッダ部１４には、絶縁材により同一構造に形成された２つのヘッダボディ１４ａがＰＣカードＣの厚さ方向に重ねて配置される（図８参照）。これらのヘッダボディ１４ａは、端子ピン１２の先端側を小プリント基板２０のスルーホール２８ａ（図４参照）に挿通させ、これらのスルーホールに半田付けされる。また、各ヘッダボディ１４ａの後端側は、腕部１６により両側端部で一体的に連結されており、したがって、各ヘッダボディ１４ａはこれらの小プリント基板２０と一対の腕部１６とにより、強固な一体構造に形成される。そして、各腕部１６は互いに同一構造に形成してあり、それぞれのガイド溝２２（図８参照）を互いに対向させて配置される。各種の厚さのＰＣカードＣが、その側縁部をこれらのガイド溝２２で案内され、挿抜方向Ｅに沿って移動することができる。符号２４はシールドプレート、符号２６はＰＣカードＣの表面に接触するカードバスシールドであり、いずれも所定間隔で突出する接地ピンを小プリント基板２０のスルーホールに挿通されて半田付けされる。
【００１４】
ヘッダ部１４からＰＣカードＣを抜去するためのエジェクト機構３０は、薄い金属板で形成されたエジェクト板３２を備える。このエジェクト板３２は、ヘッダボディ１４ａの両側縁部に摺動自在に装着される。本実施の形態では、図２に示すように、ヘッダボディ１４ａの側縁部に形成されたガイド溝３４内に、両側縁部に形成されたフック状の爪部が嵌合され、ＰＣカードＣの挿抜方向Ｅに沿って案内される。
【００１５】
図１および図５に示すように、このエジェクト板３２は、その全体が段付き構造に形成されており、段部３２ａの両側の板部からは、それぞれＰＣカードＣの端面に係合する一対の係合部３６がヘッダボディ１４ａ側に突出する。これらの係合部３６は、各側縁部の近部で、エジェクト板３２の板材から切り起こして形成され、エジェクト板３２をヘッダボディ１４ａに装着したときに、このヘッダボディ１４ａに形成された収容溝３８内に収容される。また、エジェクト板３２の段部３２ａの近部には、リンク部材４０との干渉を防止する凹部３２ｂが形成され、ほぼ中央部には、リンク部材４０を回動自在に連結するための略矩形状の開口３９が形成されている。
【００１６】
リング部材４０は、薄い金属板により、エジェクト板３２とは逆向きの段付き構造に形成され、リンク部材４０の段部４０ａの近部には、エジェクト板３２の段部３２ａと噛合い、エジェクト板３２との干渉を防止する凹部４０ｂが形成される。したがって、それぞれの凹部３２ｂ，４０ｂ内に相手方の段部４０ｂ，３２ｂが収容されたときに、これらの段部４０ｂ，３２ｂの両側の板部が互いにほぼ平行な状態に重なる。
【００１７】
エジェクト板３２とヘッダボディ１４ａとの間に配置されるリンク部材４０の板部からは、突部４２が突出し、更にこの板部の先端部には、突部４２とは逆にヘッダボディ１４ａ側に突出する係合部４４（図８参照）が設けられる。この突部４２は、エジェクト板３２の開口３９内に収容されてリンク部材４０と回動自在に連結される連結部を形成する。この突部４２は、開口３９の内縁部に当接する外周面を湾曲させて形成されており、エジェクト板３２とリンク部材４０との間で滑らかに力を伝達することができる。また、係合部４４は、エジェクト板３２がこの連結部を介してＰＣカードの抜去方向に移動されたときに、このエジェクト板３２の係合部３６よりも更に外方に移動し、ＰＣカードをより大きく抜去する。
【００１８】
更に、リンク部材４０の段部４０ａの近部には支持部として開口４６が形成されており、この開口４６を通じてヘッダボディ１４ａから突出する支持軸部４７に回転自在に支えられる。なお、リンク部材の支持部として、このような開口４６をリンク部材４０に形成することに代え、先端側の縁部に湾曲凸部を形成し、ヘッダボディ１４ａから直立させた壁部でこの湾曲凸部を回転自在に支えるようにしてもよい。この場合には支持軸部４７が不要である。
【００１９】
更に、リンク部材４０の外側部には、ヘッダボディ１４ａの外方に突出する突片部４８が設けられる。エジェクト機構３０のプッシュロッド５０は、この突片部４８を介してリンク部材４０を駆動する。
このプッシュロッド５０は、このリンク部材４０の突片部４８に係合する内端部５２と、この内端部５２に取外し可能に連結された作動アーム５４と、このプッシュロッドを外方に付勢するコイルばね５６とを有する。この作動アーム５４は金属板を折曲げて形成され、その外端部にプッシュボタン５８が取付けてられている。このプッシュボタン５８を内方に押圧することにより、プッシュロッドを腕部１６に沿って摺動することができる。
【００２０】
そして、ＰＣカードＣをこのコネクタ１０に装着した状態でも、ＰＣカードの非装着時と同じ位置にプッシュボタン５８を配置し、ＰＣカードを抜去するときにのみプッシュボタン５８を突出させるために、作動装置がこのエジェクト機構３０に設けられる。
図１から図３に示すように、本実施の形態の作動装置は、プッシュロッド５０の内端部５２と、ヘッダボディ１４ａの側部突出部６０とで形成されている。図２および図３に示すように、側部突出部６０は案内レールとしてヘッダボディ１４ａ側に形成されたガイド溝６２と、このガイド溝６２と反対側の側縁部６４とを有し、これらの平行な案内レール６２，６４に沿って、プッシュロッドの内端部５２を案内する。更に、側部突出部６０には、内端部５２を案内するカム溝６６が上面に形成され、コイルばね５６を支えかつ内端部５２をこのコイルばね５６の付勢力に抗して係止するストッパ６８が腕部１６側の端部に設けられる。
【００２１】
一方、プッシュロッド５０の内端部５２は、カム溝６６の上に重なる状態に配置されかつ案内レール６２，６４に沿って摺動するスライダ７０と、このスライダ内に突出する支持ピン７２に揺動自在に装着されたアクチュエータ部材７４とを有する。このアクチュエータ部材７４は、カム溝６６に係合する従動ピン７６を有し、この従動ピン７６の突出する側が後述するストッパ面７５を有する段付き構造に形成されている。このアクチュエータ部材７４は、スライダ７０内に固定されたばね７１により、側部突出部６０に向けて付勢されており、スライダ７０が移動するときに、従動ピン７６はカム溝６６の底壁に沿って摺動する。
【００２２】
特に図３に示すように、スライダ７０は、金属板から折曲げ形成するのが好ましく、ヘッダボディ１４ａ側の案内レールすなわちガイド溝６２内に緩く嵌合する摺動縁部８２と、反対側の案内レールすなわち側縁部６４を緩く挟持する摺動縁部８４ａ，８４ｂとを有する。更に、ヘッダボディ１４ａに近接する側壁部には、アクチュエータ部材７４の先端部を突出させる開口７８ａを形成しており、この開口７８ａから突出したアクチュエータ部材７４の先端部はリンク部材４０の突片部４８に係合することができる。このとき、アクチュエータ部材７４のストッパ面７５はスライダ７０の側壁部に係合し、アクチュエータ部材７４の回転あるいは、更に突出するのを防止する。また、反対側の側壁部にも開口７８ｂが形成してあり、内端部５２を側部突出部６０に装着する際に、アクチュエータ部材７４を側方に振出し、従動ピン７６が側部突出部６０と干渉するのを防止することができる。
【００２３】
更に、スライダ７０から作動ロッド５４（図１）側に向けて連結アーム８６が延び、この連結アーム８６の先端には、作動ロッド５４の係止孔５５に嵌合する係止片８７が形成される。この連結アーム８６および係止片８７は、側部突出部６０に近接して配置するのが好ましい。
【００２４】
図４から図７は、このカードコネクタ１０の概略的な組立て手順を示す。
図４に示すように、まず、上段または下段側の各ヘッダボディ１４ａは、シールドプレート２４およびカードバスシールド２６を取付けられ、更に、小プリント基板２０とエジェクト機構３０とを取付けられる。
【００２５】
小プリント基板２０には、各ヘッダボディ１４ａの２列に配列された端子ピン１２を受入れるスルーホール２８ａの列が形成されている。また、これらの端子ピン１２が挿通される２列のスルーホール２８を上下方向すなわちＰＣカードＣの厚さ方向から挟む位置に、シールドプレート２４およびカードバスシールド２６の接地ピンを受入れるための所定間隔のスルーホール２８ｂの列が配置されている。このため、各ヘッダボディ１４ａに対応して、それぞれ４列のスルーホール２８ａ，２８ｂが配置される。そして、各ヘッダボディ１４ａに対応する４列のスルーホール２８ａ，２８ｂ、それぞれ別個の面に形成された導電パッド１９に電気的に接続されており、これにより、小プリント基板２０の両面のエッジ部に沿って配列された導電パッド１９は、それぞれ別個のヘッダボディ１４ａの端子ピン１２および接地ピンと電気的に接続される。
【００２６】
更に、小プリント基板２０の両側端部から突片２１が突出しており、これらの突片２１はヘッダボディ１４ａに設けられた突条１５に沿って案内されるガイドとして作用すると共に、互いに重ねられたヘッダボディ１４ａを所定間隔に保持する作用をなす。また、小プリント基板２０がヘッダボディ１４ａに完全に装着された状態では、この突片２１が突条１５に設けられた小突起（図示しない）により係止され、所定位置に保持される。
【００２７】
図５に示すように、下側のヘッダボディ１４ａをこのように形成された小プリント基板２０に装着した後、このヘッダボディ１４ａにエジェクト機構３０のエジェクト板３２およびリンク部材４０を取付け、更に、側部突出部６０にプッシュロッドの内端部５２を装着する。
ヘッダボディ１４ａの支持軸部４７にリンク部材４０の開口４６を装着することにより、リンク部材４０はこの支持軸部４７を中心として自由に回動し、連結部すなわち突起４２および開口３９を介してエジェクト板３２をＰＣカードＣの挿抜方向Ｅに沿って移動することができる。突部４２が形成された板部が、エジェクト板３２とヘッダボディ１４ａとの間に配置され、このエジェクト板３２がそのフック状の爪部をガイド溝３４（図２）に嵌合するため、リンク部材４０が支持軸部４７から脱落することはない。
【００２８】
一方、内端部５２は、スライダ７０内にアクチュエータ部材７４を装着し、従動ピン７６を開口７８ｂから突出させた状態で側部突出部６０に取付ける。案内レール６２，６４に沿って摺動縁部８２，８４ａ，８４ｂ（図２）を摺動させ、支持ピン７６がカム溝６６の切欠き部６７の位置に整合したときに、この切欠き部６７を通して支持ピン７６をカム溝６６内に嵌合させる。
【００２９】
このように、小プリント基板２０に下側のヘッダボディ１４ａとエジェクト板３２とリンク部材４０とスライダ７０とを装着した後、この小プリント基板２０に上側のヘッダボディ１４ａを同様な手順で取付ける。この後、小プリント基板２０に各端子ピン１２および接地ピンを半田付けする。このとき、小プリント基板２０の反対側に、上下に重ねられた２つのヘッダボディ１４ａを支える仮止め手段を設けておくのが好ましい。
【００３０】
小プリント基板２０を取付けられたヘッダ部１４は、各端子ピン１２および接地ピンを小プリント基板２０のスルーホール２８ａ，２８ｂに挿通して半田付けされ、各ヘッダボディ１４ａと小プリント基板２０とが強固に結合される。更に、上下に重ねられた各ヘッダボディ１４ａの間は、小プリント基板２０の突片３４により所定の間隔に保持される。そして、各ヘッダボディ１４ａは、小プリント基板２０の反対側を、腕部１６により結合される。
【００３１】
各ヘッダボディ１４ａの両側端部に装着される腕部１６は、互いに同一構造に形成してあり、したがって、その一方について説明する。
図６に示すように、各腕部１６は、金属板を折曲げ成形した心材９０と共に樹脂材料９２を射出成形した一体構造を有し、この樹脂材料９２によりＰＣカードＣを案内するガイド溝２２（図８参照）を形成している。この腕部１６は、その先端部から略平行な２本の金属板製の結合腕９４を突出させてあり、これらの結合腕９４を各ヘッダボディ１４ａの端部に開口する結合孔９６（図８参照）内に挿入することにより、互いに重ねられた２つのヘッダボディ１４ａを小プリント基板２０の反対側で結合することができる。これらの結合腕９４の表面部に小突起あるいは凹部を設け、ヘッダボディ１４ａの樹脂材料との摩擦力を増大させるようにしてもよい。この腕部１６は、図６の（Ｃ）に明瞭に示すように、長手方向の中心線９５を中心とした対称形状を有し、したがって、ヘッダ部１４のいずれの側の側端部にも取付けることができる。
【００３２】
更に、この腕部１６は、中央の樹脂材料９２ａと両側の樹脂材料９２ｂとが心材９０よりも外側面側に突出し、これらの樹脂材料９２ａ，９２ｂ間に略平行な２つの凹部９６（図６の（Ｃ））が形成されている。この凹部９６に、図１に示すプッシュロッド５０の作動アーム５４が配置され、この凹部９６内を長手方向に摺動することができる。この作動アーム５４には、図示しない開口を設け、腕部１６から突出するストッパ９８を収容することが好ましい。このストッパ９８とにより、プッシュロッド５０の移動限度を規定し、内端部５２のアクチュエータ部材７４等に無理な力が作用するのを防止することができる。
【００３３】
図７は、ヘッダ部１４に腕部１６を取付け、更に、一方の腕部１６にプッシュロッド５０を装着し、組立てが完了した状態を示す。組立てが完了したカードコネクタ１０は、ヘッダ部１４に装着される第１対の取付けブラケット１００と、腕部１６に装着される第２対の取付けブラケット１１０との２つの対を形成する取付けブラケットにより、プリント基板Ｐに取付けられる。
【００３４】
図８は、カードコネクタ１０をプリント基板Ｐに固定する取付けブラケット１００，１１０を示す。図８では、各取付けブラケット１００，１１０を図１および図７と反対方向に配置して示すように、このカードコネクタ１０および取付けブラケット１００，１１０は、プリント基板Ｐの上側あるいは下側のいずれにも、小プリント基板２０および取付けブラケット１００，１１０の取付け方向を変えるだけで簡単に固定できるものである。
【００３５】
図８に示すように、ヘッダ部１４に装着される第１対の取付けブラケット１００は、全体が金属板から形成され、ボディ部１０２とこのボディ部１０２から延びるスタンドオフ部１０４とを有する。ボディ部１０２からは、４つの保持爪１０６が突出する。これらの４つの保持爪１０６のそれぞれが挿入される係止孔は、各ヘッダボディ１４ａの小プリント基板２０側の端面にそれぞれ２つづつほぼ同じ形状でかつ互いに略平行に開口している。これらの４つの保持爪１０６と４つの係止孔とは、それぞれ互いに直交する２つの対称軸線を有し、したがって、取付けブラケット１００を図７に示す非反転位置、あるいは、図８に示すようにこの取付けブラケット１００の上下を反転させた反転位置のいずれの状態でも、これらの４つの保持爪１０６と４つの係止孔とを噛合わせることができる。
【００３６】
このボディ部１０２からはスタンドオフ部１０４が延びる。このスタンドオフ部１０４の先端部は、保持爪１０６と同じ側に屈曲された支持板部１０８を有する。ボディ部１０２から離隔する方向に向けて、この支持板部１０８から結合部としての円筒状突起１０９が突出する。この円筒状突起１０９の内周面はねじを形成され、この円筒状突起１０９により、プリント基板Ｐに挿通された締結具すなわち取付けねじ１２０（図８の（Ｂ））に螺合することができる。更に、このねじ孔を形成した円筒状突起１０９により、プリント基板Ｐに対してこのカードコネクタ１０を位置決めする際の位置決めあるいは仮止め手段として作用させることができる。
【００３７】
一方、腕部１６に装着される第２対の取付けブラケット１１０も、金属板から形成されたボディ部１１２とこのボディ部１１２から延びるスタンドオフ部１１４とを有する。このボディ部１１２の上縁部と下縁部とからそれぞれ２つの舌片部１１３が折曲げ形成され、これらの各舌片部１１３を貫通して係止孔１１６が形成されている。これらの係止孔１１６を、それぞれ腕部１６の上下の各縁部から突出した保持爪９９（図６および図７参照）と噛合わせることにより、取付けブラケット１１０の腕部１６の長手方向および横方向に対する移動を防止し、更に、腕部１６を上下方向から挟む舌片部１１３により、高さ方向の移動を防止することができる。この保持爪９９は図６の（Ｃ）に示すように、金属製の心材９０と一体に形成するのが好ましい。そして、これらの４つの舌片部１１３および係止孔１１６と、４つの保持爪９９とは、それぞれ２つの互いに直交する対称軸線を有し、したがって、第２対の取付けブラケット１１０を図７に示す非反転位置、あるいは、図８に示すようにこの取付けブラケット１１０の上下を反転させた反転位置のいずれの状態でも、これらの４つの保持爪９９と４つの係止孔１１６とを噛合わせることができる。
【００３８】
第１対の取付けブラケット１００と同様に、第２対の取付けブラケット１１０のボディ部１１２からスタンドオフ部１１４が延び、このスタンドオフ部１１４の先端部からは支持板部１１８が屈曲されて形成されている。この支持板部１１８も、舌片部１１３と同じ側に屈曲され、ボディ部１１２から離隔する方向に向けて、ねじ孔を形成した結合部としての円筒状突起１１９が突出する。
【００３９】
この第２対の取付けブラケット１１０は、図７に示すように、プッシュロッド５０を腕部１６の凹部９６（図６の（Ｃ））内に摺動可能に保持するガイドとしても作用させることができる。
【００４０】
このような取付けブラケット１００，１１０をプリント基板Ｐに取付ける場合は、図８の（Ｂ）に示すように、プリント基板Ｐの取付け孔内に結合部である円筒状突起１０９，１１９を挿入し、反対側からワッシャ１２２を介して挿入した締結具である取付けねじ１２０を、この円筒状突起１０９，１１９のねじ孔内にねじ込む。プリント基板Ｐの取付け孔を、円筒状突起１０９，１１９の外径よりも僅かに大径に形成することにより、プリント基板Ｐに対するカードコネクタ１０の位置決めを極めて容易に行うことができる。
【００４１】
このカードコネクタ１０をプリント基板Ｐの反対側に取付ける場合は、各取付けブラケット１００，１１０を反転させて取付ける共に、小プリント基板２０も反転させる。これにより、結合部である円筒状突起１０９，１１９の位置したがってねじ孔の位置は、ＰＣカードＣの挿抜方向ＥおよびＰＣカードＣの幅方向で変化せず、したがって、ＰＣカードＣの同一の極性を維持しつつプリント基板Ｐの反対側に取付けることができる。この場合、小プリント基板２０も反転されるため、導電パッド１９は同じ側で同じヘッダボディ１４ａに接続される。
【００４２】
更に、各取付けブラケット１００，１１０は、ねじ孔を形成した支持板部１０８，１１８がコネクタフレーム１８とプリント基板Ｐとの間に配置され、コネクタフレーム１８の外側に突出しないため、プリント基板Ｐ上に占める領域が極めて僅かですむ。
【００４３】
なお、上述の実施の形態では、取付けブラケットの結合部を形成する円筒状突起１０９，１１９の内周面に雌ねじを形成してあるが、これに代え、この円筒状突起１０９，１１９の外周面に雄ねじを形成してもよい。この場合には、円筒状突起１０９，１１９は中実構造としてもよく、締結具として取付けナットを用いる。更に、このような取付けねじ１２０あるいは取付けナットに代え、締結具としてリベットを用いてもよく、この場合には、円筒状突起１０９，１１９に雌ねじあるいは雄ねじを形成する必要はない。
【００４４】
図９は、このように形成されたカードコネクタ１０からＰＣカードを抜去する際のカム溝６６とアクチュエータ部材７４との作動を示す。
このカム溝６６は、ヘッダボディ１４ａに隣接して直線状に延びる駆動部６６ａと、小プリント基板２０側に配置された係止部６６ｂと、この係止部６６ｂから小プリント基板２０の反対側に向けて延びる湾曲した復帰部６６ｃとから連続した溝状に形成される。アクチュエータ部材７４の従動ピン７６は、プッシュロッド５０の移動と共にこのカム溝６６内を矢印方向に沿って移動する。駆動部６６ａから係止部６６ｂに移行する遷移部、および、復帰部６６ｃから駆動部６６ａに移行する遷移部には、それぞれ矢印の反対方向に移動するのを防止するための傾斜部６９を設けてある。このため、従動ピン７６は駆動部６６ａから復帰部６６ｃへの移動、および、係止部６６ｂから駆動部６６ａへの移動は完全に防止される。
【００４５】
アクチュエータ部材７４の従動ピン７６は、通常は係止部６６ｂ内に配置されている。この状態では、アクチュエータ部材７４はスライダ７０内に収容された引込み位置に配置され、また、プッシュロッド５０は保持位置に配置されている。アクチュエータ部材７４がスライダ７０内の引込み位置に配置されているため、リンク部材４０の突片部４８は、このアクチュエータ部材７４と干渉せず、リンク部材４０およびエジェクト板３２は自由に移動することができる。このため、ＰＣカードＣをこのカードコネクタ１０に挿入すると、このＰＣカードＣがエジェクト板３２の係合部３６を押圧しつつリンク部材４０を回動し、端子ピン１２に嵌合することができる。このとき、プッシュロッド５０の外端部に取付けられたプッシュボタン５８は、内方に押込められた状態を維持しておいる。
【００４６】
ＰＣカードＣを抜去する場合は、プッシュボタン５８を軽く押圧する。これにより、アクチュエータ部材７４の従動ピン７６が係止部６６ｂから押出され、プッシュロッド５０に作用するコイルばね５６の付勢力により、復帰部６６ｃを経て駆動部６６ａの最外端部（図９）に移動する。この状態を図７に示してあり、プッシュボタン５８はヘッダ部１４から離隔する方向に大きく外方に突出した繰出し位置に配置される。また、アクチュエータ部材７４は、先端部をスライダ７０の開口７８ａ（図３）から突出させた突出位置に配置される。この状態でプッシュボタン５８を押圧すると、従動ピン７６がカム溝６６の駆動部６６ａに沿って案内され、アクチュエータ部材７４をヘッダボディ１４ａ側に突出させたまま移動する。これにより、リンク部材４０の突片部４８がアクチュエータ部材７４で移動され、支持軸部４７を中心として回動し、エジェクト板３２を外方に移動する。ＰＣカードＣは、エジェクト板３２の係合部３６で内端部を係止されてこのエジェクト板３２と共に外方に押出される。プッシュロッドが押込み位置まで完全に押圧されると、ＰＣカードＣが端子ピン１２から抜去された後、リンク部材４０の先端部に設けられた係合部４４（図８）が更にＰＣカードＣを外方に押出す。
【００４７】
プッシュボタン５８の押圧を解除すると、コイルばね５６の付勢力により、従動ピン７６が係止部６６ｂに配置され、アクチュエータ部材７４はスライド７０内に引込まれ、引込み位置に配置される。これにより、プッシュロッド５０は再度保持位置に配置される。この保持位置では、プッシュボタン５８は完全に押込まれた押込み位置よりも僅かに外方に配置される。
【００４８】
図１０は他の実施の形態を示す。上述の実施の形態と同様な部分には同様な符号を付してその詳細な説明を省略する。
この実施の形態では、カム溝６６はヘッダボディ１４ａの側面に形成されている。アクチュエータ部材１４０は、プッシュロッド１５０の内端部に形成されたガイド孔１５２内を摺動自在に案内される。このアクチュエータ部材１４０から従動ピン７６がカム溝６６内に延び、板ばね１４４により、カム溝６６の底壁に押圧される。アクチュエータ部材１４０の円筒状の先端部１４２は、カム溝６６および従動ピン７６により、図１０の（Ｂ）に示す突出位置と、ガイド孔１５２内に引込められた位置との間を移動する。なお、リンク部材４０の突片部４８は、アクチュエータ部材１４０がガイド孔１５２内に引込められたときに、プッシュロッド１５２の内端部に形成されたスロット１５４内を自由に移動することができる。
【００４９】
【発明の効果】
以上明らかなように、本発明のカードコネクタによると、プッシュロッド内のアクチュエータ部材がヘッダ部に設けられたカムで作動され、リンク部材を直接作動してエジェクト板を移動することにより、ＰＣカードを抜去するときにのみプッシュボタンを突出可能なエジェクト機構付カードコネクタを、極めて作動信頼性の高い簡単な構造としつつ安価に製造することを可能とする。
【００５０】
更に、反転させてスタンドオフ部を反対側に配置した反転位置と非反転位置とで、ＰＣカードの幅方向および挿抜方向に沿う各結合部の位置を同じ位置に保持する取付けブラケットを用いて取付けることにより、このカードコネクタをプリント基板の任意の側に対する極めて簡単な取付けを可能とする。
【図面の簡単な説明】
【図１】本発明の好ましい実施の形態によるカードコネクタを一部分解して示す概略的な説明図である。
【図２】図１のカードコネクタのヘッダ部の一部を示す概略的な斜視図であり、（Ａ）はその分解した状態の図、（Ｂ）はアクチュエータ部材の異なる方向から見た状態の図である。
【図３】図１のカードコネクタのプッシュロッドの内端部を示す説明図であり、（Ａ）は平面図、（Ｂ）は（Ａ）のＢ−Ｂ線に沿う図、（Ｃ）は（Ａ）のＣ−Ｃ線に沿う図、（Ｄ）は外端側から見た図である。
【図４】図１のカードコネクタのヘッダボディを小プリント基板に取付ける状態の説明図である。
【図５】図４で組立てられたヘッダ部にエジェクト機構のリンク部材およびエジェクト板と、プッシュロッドの内端部とを取付ける状態を示す説明図である。
【図６】図５で組立てられたヘッダ部に腕部を取付ける状態の説明図であり、（Ａ）はヘッダ部の図、（Ｂ）は腕部の平面図、（Ｃ）は（Ｂ）のＣ−Ｃの方向から見た状態の図である。
【図７】組立てを完了したカードコネクタの説明図である。
【図８】組立てられたカードコネクタをプリント基板に取付ける状態の説明図であり、（Ａ）は各取付けブラケットと共に一部を省略した図、（Ｂ）はプリント基板と取付けブラケットとの関係を示す図である。
【図９】カムとアクチュエータとの作動を示す説明図である。
【図１０】本発明の他の実施の形態によるカードコネクタのヘッダ部の一部を示す説明図である。
【符号の説明】
１０…カードコネクタ、１２…端子ピン、１４…ヘッダ部、１４ａ…ヘッダボディ、１６…腕部、１８…コネクタフレーム、２０…小プリント基板、２２…ガイド溝、３０…エジェクト機構、３２…エジェクト板、４０…リンク部材、４８…突片部、５０…プッシュロッド、５２…先端部、６０…側部突出部、６６…カム溝、６６ａ…駆動部、６６ｂ…係止部、６６ｃ…復帰部、７０…スライダ、７４…アクチュエータ部材、７６…従動ピン、１００，１１…取付けブラケット、１０２，１１２…ボディ部、１０４，１１４…スタンドオフ部、１２０…取付けねじ、Ｃ…ＰＣカード、Ｐ…プリント基板。
【図１】
0003886204.tif 000002
【図２】
0003886204.tif 000003
【図３】
0003886204.tif 000004
【図４】
0003886204.tif 000005
【図５】
0003886204.tif 000006
【図６】
0003886204.tif 000007
【図７】
0003886204.tif 000008
【図８】
0003886204.tif 000009
【図９】
0003886204.tif 000010
【図１０】
0003886204.tif 000011